(57)【要約】【課題】組立性の良い一方向クラッチの保持器を提供する。【解決手段】この一方向クラッチの保持器１では、円筒係合ころ２０が、コイルバネ２１に隣接するポケット６内に、径方向外方から内方へ挿入されるときに、軸方向端部３の外周面３Ａの正１０角柱形状のほぼ頂点の頂部１３を目印として、円筒係合ころ２０の周方向の挿入位置を決ることができる。したがって、円筒係合ころ２０の組付性を向上できる。【選択図】  図１
2004232734.tif 000002
【特許請求の範囲】
【請求項１】
外周にカム面を有する内輪と、内周に円周面を有する外輪との間に係合ころを保持する一方向クラッチの保持器であって、
一方の軸方向端部は、上記内輪の上記カム面に対応した形状の内周面を有し、他方の軸方向端部は、略多角柱形状の外周面を有することを特徴とする一方向クラッチの保持器。
【請求項２】
請求項１に記載の一方向クラッチの保持器において、
上記他方の軸方向端部の外周面は、上記係合ころを保持する位置を略頂点とする略正多角柱形状であることを特徴とする一方向クラッチの保持器。
【発明の詳細な説明】
【０００１】
【発明の属する技術分野】
この発明は、一方向クラッチの保持器に関する。
【０００２】
【従来の技術】
一方向クラッチを組み立てる際には、保持器に、係合ころや係合ころを付勢するばね等を組み込むが、保持器の周方向に複数配置されたポケットに順に係合ころやばねを組み込む必要が有り、保持器のポケットへの部品装着に手間が掛かっていた。また、外周にカム面を有する内輪に保持器を装着する場合には、内輪のカム面に対して保持器の内周面を整合させるための周方向位置合わせに手間が掛かり、組立性が良くなかった。
【０００３】
【特許文献１】
特開２００１−１４０９４３号公報
【０００４】
【発明が解決しようとする課題】
そこで、この発明の目的は、組立性の良い一方向クラッチの保持器を提供することにある。
【０００５】
【課題を解決するための手段】
上記目的を達成するため、請求項１の一方向クラッチの保持器は、外周にカム面を有する内輪と、内周に円周面を有する外輪との間に係合ころを保持する一方向クラッチの保持器であって、
一方の軸方向端部は、上記内輪の上記カム面に対応した形状の内周面を有し、他方の軸方向端部は、略多角柱形状の外周面を有することを特徴としている。
【０００６】
この請求項１の発明の一方向クラッチの保持器では、他方の軸方向端部が有する略多角柱形状の外周面の頂部が、係合ころの組み付け位置を決めるための目印となる。したがって、係合ころの組み付け性を向上できる。
【０００７】
また、この保持器を内輪に組み付ける際には、上記他方の軸方向端部の略多角柱形状の外周面の頂部は、上記一方の軸方向端部が有する内周面を、上記内輪の外周のカム面に対して整合させるように周方向の位置決めを行うための目印となる。したがって、一方向クラッチの組立性を向上できる。
【０００８】
また、請求項２の発明は、請求項１に記載の一方向クラッチの保持器において、上記他方の軸方向端部の外周面は、上記係合ころを保持する位置を略頂点とする略正多角柱形状であることを特徴としている。
【０００９】
この請求項２の発明の一方向クラッチの保持器では、上記他方の軸方向端部の外周面は、上記係合ころを保持する位置を略頂点とする略正多角柱形状であるから、上記係合ころの保持位置において、上記他方の軸方向端部の径方向の厚さを最大にでき、係合ころを軸方向に支持する部分の面積を大きくして、係合ころの保持力を向上できる。
【００１０】
【発明の実施の形態】
以下、この発明を図示の実施の形態に基いて詳細に説明する。
【００１１】
図１（Ｃ）に、この発明の実施形態としての一方向クラッチの保持器１を軸方向の一方から他方に見た様子を示し、図１（Ａ）に上記保持器１を軸方向の他方から一方に見た様子を示す。また、図１（Ｂ）に、図１（Ａ）のＡ−Ａ’断面を示す。
【００１２】
図１（Ｂ）に示すように、この保持器１は、一方の軸方向端部２と他方の軸方向端部３を有し、この軸方向端部２と軸方向端部３との間に軸方向に延びる１０本の柱部５，５…が、周方向に所定の間隔を隔てて形成されている。隣接する柱部５と柱部５との間がポケット６になっており、保持器１はポケット６を１０個有する。また、この柱部５は、軸方向の略中央で周方向に突出したスプリングガイド８を有する。なお、この実施形態では、保持器１を樹脂製としたが、金属製またはセラミック製であってもよい。
【００１３】
図１（Ｃ）に示すように、上記一方の軸方向端部２は、略正１０角柱形状の内周面２Ａを有している。また、この軸方向端部２は、円筒形の外周面２Ｂを有している。また、この軸方向端部２は、径方向内方かつ軸方向内方に窪んだ外周縁部７を有する。また、この軸方向端部２は、上記スプリングガイド８に対応する周方向位置に１０個の台形状穴部１０を有している。この台形状穴部１０は、軸方向端部２の軸方向の外方の端面２Ｃに形成されている。また、図１（Ｂ）に示すように、この軸方向端部２の端面２Ｃは、内周側縁部が軸方向外方に向って径が大きくなるテーパ面１１になっている。
【００１４】
また、図１（Ａ）に示すように、上記他方の軸方向端部３は、外周面３Ａが略正１０角柱形状であり、この正１０角柱形状のほぼ頂点の部分で僅かに湾曲した頂部１３の位置が係合ころ２０の配置位置になっている。また、この軸方向端部３の外周面３Ａの外径は、軸方向端部２の外周面２Ｂの外径よりも小さい。また、この軸方向端部３の内周面３Ｂは円筒形であり、上記軸方向端部２の内周面２Ａよりも小径である。
【００１５】
上記構成の保持器１は、まず、上記柱部５が有するスプリングガイド８に、図２に示すように、コイルバネ２１が装着される。
【００１６】
次に、円筒係合ころ２０が、ポケット６内のコイルバネ２１に隣接する箇所に、径方向外方から内方へ挿入される。このとき、図１（Ａ）に示す上記軸方向端部３の外周面３Ａの正１０角柱形状のほぼ頂点の頂部１３を目印として、円筒係合ころ２０の周方向の挿入位置を決ることができる。したがって、円筒係合ころ２０の組付性を向上できる。
【００１７】
また、この実施形態の一方向クラッチの保持器１では、上記他方の軸方向端部３の外周面３Ａは、円筒係合ころ２０を保持する位置を略頂部１３の位置とする略正１０角柱形状であるから、円筒係合ころ２０を保持する位置において、上記他方の軸方向端部３の径方向の厚さを最大にでき、円筒係合ころ２０の端面２０Ａを軸方向に支持する部分の面積を大きくして、円筒係合ころ２０の保持力を向上できる。
【００１８】
図２に示すように、上記保持器１にコイルバネ２１と円筒係合ころ２０が組み込まれた一方向クラッチ３０は、内輪３１が外周に有する略正１０角柱形状のカム面３１Ａに、保持器１の一方の軸方向端部２のテーパ面１１を沿わせながら、軸方向端部２の略正１０角柱形状の内周面２Ａを、軸方向の一方から挿入し嵌合させる。同時に、軸方向端部２の円筒形の外周面２Ｂおよび軸方向端部３の略正１０角柱形状の外周面３Ａは、外輪３２が内周に有する円筒形状の内周面３２Ａに挿入される。
【００１９】
上記のように、一方向クラッチ３０を内輪３１に組み付ける際には、保持器１の上記他方の軸方向端部３の略正１０角柱形状の外周面３Ａのほぼ頂点の頂部１３は、周方向の位置決めを行うための目印となり、上記一方の軸方向端部２が有する略正１０角柱形状の内周面２Ａを、内輪３１の外周の略正１０角柱形状のカム面３１Ａに対して整合させて挿入し易くできる。したがって、一方向クラッチの組立性を向上できる。
【００２０】
こうして、外輪３２と内輪３１との間に組み付けられた一方向クラッチ３０は、内輪３１に対して矢印Ｂの反時計回り方向への外輪３２の回転を許す一方、内輪３１に対して矢印Ｃの時計回りの方向へ外輪３２が回転しようとすると、外輪３２の内周面３２Ａと内輪３１のカム面３１Ａとの間における円筒係合ころ２０のくさび作用でもって、内輪３１に対して外輪３２が相対回転不可となる。
【００２１】
尚、上記実施形態では、内輪３１のカム面３１Ａが略正１０角柱形状である場合に適合する保持器１を説明し、内輪３１の外周の略正１０角柱形状のカム面３１Ａの形状に合わせて、一方の軸方向端部２の内周面２Ａを、略正１０角柱形状にしたが、内輪のカム面の形状は、略正１２角柱形状、略正８角柱形状あるいはそれ以外の正多角柱形状、さらには正多角柱形状以外の多角柱形状であっても、本発明の保持器を適用可能なことは勿論である。つまり、一方の軸方向端部２の内周面２Ａの形状は、内輪のカム面に対応した正多角柱形状または正多角柱形状以外の多角柱形状とすればよい。
【００２２】
また、他方の軸方向端部３の外周面３Ａは、上記内輪のカム面に対応した多角柱形状の一方の軸方向端部２の内周面２Ａの角数に応じた略多角柱形状とすればよい。このように、他方の軸方向端部３が有する略多角柱形状の外周面３Ａは軸直角面による切断形状が略多角形状となり、外周面の頂部を周方向位置決めのための目印とすることが可能である。
【００２３】
【発明の効果】
以上より明らかなように、この発明の一方向クラッチの保持器では、他方の軸方向端部が有する略多角柱形状の外周面の頂部が、係合ころの組み付け位置を決めるための目印となるので、係合ころの組み付け性を向上できる。
【００２４】
また、この保持器を内輪に組み付ける際には、上記他方の軸方向端部の略多角柱形状の外周面の頂部は、一方の軸方向端部が有する内周面を、内輪の外周のカム面に対して周方向の位置決めを行うための目印とすることができ、一方向クラッチの組立性を向上できる。
【図面の簡単な説明】
【図１】図１（Ａ）はこの発明の一方向クラッチの保持器の実施形態を軸方向の一方から他方に見た様子を示す側面図であり、図１（Ｂ）は図１（Ａ）のＡ−Ａ’断面図であり、図１（Ｃ）は上記実施形態を軸方向の他方から一方に見た様子を示す側面図である。
【図２】上記実施形態の保持器を含む一方向クラッチを内輪と外輪の間に組み込んだ様子を示す半断面図である。
【符号の説明】
１  保持器
２  一方の軸方向端部
２Ａ  内周面
２Ｂ  外周面
３  他方の軸方向端部
３Ａ  外周面
３Ｂ  内周面
５  柱部
６  ポケット
８  スプリングガイド
１３  頂部
２０  円筒係合ころ
２１  コイルバネ
３０  一方向クラッチ
３１  内輪
３１Ａ  カム面
３２  外輪
３２Ａ  内周面
【図１】
2004232734.tif 000003
【図２】
2004232734.tif 000004